(57)【特許請求の範囲】
【請求項１】
複数の電子部品が搭載された複数の回路基板と、該複数の回路基板を収納可能な基板収納部材と、を備えた遊技機において、
前記基板収納部材は、
第１基板および第２基板を収納する第１ケース部材と、該第１ケース部材に重合されて取り付けられ、第３基板を収納する第２ケース部材と、からなり、
前記第１ケース部材には、
前記第１基板と、前記第１基板に重合するようにコネクタ接続され、前記第１基板と対向しない側の表面にメモリなどの電子部品が搭載された前記第２基板とが、前記回路基板として収納されるとともに、
該第２基板の位置決めを行う位置決め突起及び前記第３基板を押さえる第１基板押さえ部材が形成され、
前記第２ケース部材には、
前記第１ケース部材に取り付けられた第２基板に搭載された前記電子部品に対応する位置に形成された凹部と、少なくとも前記第１基板を固定するための第２基板押さえ部材と、が設けられ、
前記第１ケース部材と前記第２ケース部材とを重合させると、前記第１基板押さえ部材により前記第２ケース部材内の第３基板の固定が行われるとともに、前記第２基板押さえ部材により前記第１ケース部材内の第１基板の固定が行われ、かつ、前記位置決め突起により前記第２基板の面方向の移動規制を行うとともに、前記凹部の底壁が前記第２基板上の前記電子部品の表面に当接することで前記電子部品及び前記第２基板の重合方向の移動規制を行うように構成されることを特徴とする遊技機。
【請求項２】
前記第２ケース部材に形成される凹部は、その底壁が凸レンズにより形成されることを特徴とする請求項１に記載の遊技機。
【請求項３】
前記凹部の底壁の外面であって、前記電子部品の表面に対応する面に、前記電子部品の面方向の移動を規制する規制突起を突設したことを特徴とする請求項２に記載の遊技機。
【請求項４】
前記第２基板には前記電子部品が複数並んで搭載され、前記規制突起は、該複数搭載された電子部品の間に臨むように突設されることを特徴とする請求項３に記載の遊技機。
【請求項５】
前記規制突起は、前記第２基板に搭載される前記電子部品の周縁を囲むように突設されることを特徴とする請求項４に記載の遊技機。
【請求項６】
前記凹部は、
前記第２ケース部材から前記電子部品に向かって立設される起立部と、
前記電子部品のパッケージ表面に当接して該凹部の底壁をなすレンズ部材と、から構成され、
前記レンズ部材を、前記起立部に対して着脱可能に設けたことを特徴とする請求項５に記載の遊技機。
【請求項７】
前記基板収納部材に収納される複数の回路基板は、その機能毎に分割して別個に設けられることを特徴とする請求項１から請求項６のいずれか一つに記載の遊技機。
【発明の詳細な説明】
【技術分野】
【０００１】
本発明は、複数の電子部品が搭載された複数の制御基板と、該複数の制御基板を収納可能な基板収納部材とを備えた遊技機に関する。
【背景技術】
【０００２】
従来、表示装置後方に、表示基板を取り付けた第１基板と、サブＭＰＵを搭載した第２基板を有し、各々の基板の対向する位置にコネクタを設け、そのコネクタを接続することにより２枚の基板を重合して取り付けるようにしている。（例えば、特許文献１）
また、通常基板には多くの電子部品、とくに制御用のＣＰＵやＲＯＭ等が搭載され、該基板は、上蓋と下蓋とにより構成される箱形状の基板ボックス（基板収納部材）に収納される。（例えば、特許文献２）。
【０００３】
【特許文献１】特開平１１−１４６９４１号公報
【特許文献２】特開２００５−２５３７３５号公報
【発明の開示】
【発明が解決しようとする課題】
【０００４】
しかし、上記特許文献１のような遊技機の基板では、２枚の基板はコネクタによる接続のため、その接続力は非常に弱く、確実に接続されないことによる短絡や誤動作等が生じる虞が大いに考えられる。そのため、特許文献２の構成を適用し、ボックス内に収納することが考えられるが、箱形状のボックス内では、基板同士のコネクタのみの接続は依然としてその力が弱く、ボックス内で抜け落ちてしまうことが多くある。さらに、このようなコネクタ接続の際、誤って半刺し、即ち確実に接続しきれていない状態で基板ボックス内に収納してしまった場合、再度接続するには基板ボックスのかしめ部（封止部）を破壊し、基板ボックスを開封してからでないと接続し直すことができず、非常に手間の掛かる作業となってしまう。
そこで本発明は、上記のような問題点を解決するためになされたもので、コネクタ接続により重合された基板の脱落を効果的に防止するとともに、確実に接続されていなかった場合にも基板収納部材に収納するだけで確実に接続の補助をすることのできる遊技機を提供することを目的とする。
【課題を解決するための手段】
【０００５】
本願請求項１に記載の遊技機は、
複数の電子部品が搭載された複数の回路基板と、該複数の回路基板を収納可能な基板収納部材と、を備えた遊技機において、
前記基板収納部材は、
第１基板および第２基板を収納する第１ケース部材と、該第１ケース部材に重合されて取り付けられ、第３基板を収納する第２ケース部材と、からなり、
前記第１ケース部材には、
前記第１基板（例えば表示制御基板）と、前記第１基板に重合するようにコネクタ接続され、前記第１基板と対向しない側の表面にメモリなどの電子部品（例えば表示制御用のＲＯＭ）が搭載された前記第２基板（例えば表示制御用ＲＯＭ基板）とが、前記回路基板として収納されるとともに、
該第２基板の位置決めを行う位置決め突起及び前記第３基板を押さえる第１基板押さえ部材が形成され、
前記第２ケース部材には、
前記第１ケース部材に取り付けられた第２基板に搭載された前記電子部品に対応する位置に形成された凹部と、少なくとも前記第１基板を固定するための第２基板押さえ部材と、が設けられ、
前記第１ケース部材と前記第２ケース部材とを重合させると、前記第１基板押さえ部材により前記第２ケース部材内の第３基板の固定が行われるとともに、前記第２基板押さえ部材により前記第１ケース部材内の第１基板の固定が行われ、かつ、前記位置決め突起により前記第２基板の面方向の移動規制を行うとともに、前記凹部の底壁が前記第２基板上の前記電子部品の表面に当接することで前記電子部品及び前記第２基板の重合方向の移動規制を行うように構成されることを特徴とする。
【０００６】
なお、本発明の好ましい態様として、例えば請求項２に記載のように、前記第２ケース部材に形成される凹部は、その底壁が凸レンズにより形成される構成としてもよい。
また、例えば請求項３に記載のように、前記凹部の底壁の外面であって、前記電子部品の表面に対応する面に、前記電子部品の面方向の移動を規制する規制突起を突設した構成としてもよい。
【０００７】
また、例えば請求項４に記載のように、前記第２基板には前記電子部品が複数並んで搭載され、前記規制突起は、該複数搭載された電子部品の間に臨むように突設される構成としてもよい。
また、例えば請求項５に記載のように、前記規制突起は、前記第２基板に搭載される前記電子部品の周縁を囲むように突設される構成としてもよい。
【０００８】
また、例えば請求項６に記載のように、前記凹部は、
前記第２ケース部材から前記電子部品に向かって立設される起立部と、
前記電子部品のパッケージ表面に当接して該凹部の底壁をなすレンズ部材と、から構成され、
前記レンズ部材を、前記起立部に対して着脱可能に設けた構成としてもよい。
また、例えば請求項７に記載のように、前記基板収納部材に収納される複数の回路基板は、その機能毎に分割して別個に設けた構成としてもよい。
【発明の効果】
【０００９】
請求項１に記載の遊技機によれば、第１ケース部材と前記第２ケース部材とを重合させると、前記基板押さえ部材により前記第１ケース部材内の第１基板の固定が行われ、かつ、前記位置決め突起により前記第２基板の面方向の移動規制を行うとともに、前記凹部の底壁が前記第２基板上の前記電子部品の表面に当接することで前記電子部品及び前記第２基板の重合方向の移動規制を行う。このため、第１基板にコネクタ接続される第２基板（メモリなどの電子部品を搭載した回路基板）の脱落が、上記位置決め突起や凹部の底壁によって確実に阻止され、効果的に防止される。また、第１基板と第２基板のコネクタ接続が半刺し状態（即ち差込不足で不完全な接続状態）であった場合には、第１ケース部材と前記第２ケース部材とを重合させる際に、前記凹部の底壁が前記第２基板上の前記電子部品の表面に当接して第２基板全体を第１基板に押し付け、上記コネクタ接続を完全にする。このため、第１基板と第２基板のコネクタ接続が確実に接続されていなかった場合にも基板収納部材に収納するだけで確実に接続の補助をすることができる。したがって、第１ケース部材と前記第２ケース部材とを重合させる前に前記コネクタ接続の状態を確認する作業が容易になる。また、前記位置決め突起という簡単な構成で第２基板の面方向の移動規制も行える効果もある。
【００１０】
また、請求項２に記載の遊技機によれば、前記凹部の底壁が凸レンズであるため、組立後もこの凹部から電子部品を拡大して透視することが可能となり、電子部品の確認作業が容易になる。ひいては、電子部品に対する不正行為を防止できる。
【００１１】
また、請求項３〜５に記載の遊技機によれば、凹部の底壁の外面であって電子部品の表面に対応する面に突設された規制突起が、前記電子部品の面方向の移動を規制することができる。
【００１２】
また、請求項６に記載の遊技機によれば、前記凹部の底壁をなすレンズ部材が着脱可能であるため、電子部品の数や大きさに対応させて前記底壁を容易に変更できる。
【発明を実施するための最良の形態】
【００１３】
以下、本発明の実施の形態として、パチンコ機に適用した場合の形態例を、図面を参照して説明する。
（第１形態例）
まず、第１形態例を説明する。
Ａ．遊技盤の概略構成
図１は本形態例のパチンコ機の遊技盤１の裏面図である。図２（ａ）は後述するパネルケース３０及びこのパネルケース３０に取り付けられたサブ制御ユニット３１等を示す裏面図である。また図２（ｂ）はパネルケース３０からサブ制御ユニット３１を取り外した状態を示す裏面側斜視図である。
図１において、符号１は遊技盤である。この遊技盤１の前面には、打ち込まれた遊技球がアウト又はセーフ（入賞）となる遊技領域（図示省略）が形成されている。
【００１４】
前記遊技領域には、図示省略しているが、アウト球流入口、センターケース、始動入賞口、一般入賞口、変動入賞装置、多数の遊技釘などが設けられている。
なお遊技釘は、遊技領域の上部に飛入した遊技球がこれに当りながら流下するものであり、センターケース等の取付部分を除いた遊技領域内に複数本植設されている。
【００１５】
センターケースは、遊技盤１の裏側に取り付けられる変動表示装置（図示省略）の表示画面の前面周囲を囲む部材である。
ここで変動表示装置は、数字や文字などの識別情報（場合により特図という）を表示可能な表示器（例えば、液晶表示器）を内蔵し、複数列の特図を表示可能である。例えば、左側と中央と右側に特図を縦３列に表示し、各列において数字や文字等よりなる特図を停止状態で表示（停止表示）したり、あるいは変動状態（例えば、縦方向にスクロールする状態）で表示（即ち、変動表示）したりすることが可能である。また変動表示装置は、上記特図とは別個に背景画像やキャラクタ画像などの演出用又は情報報知用の画像が表示可能である。
また変動入賞装置は、後述する大当りになったことを条件として開放される大入賞口を有する装置である。
また始動入賞口は、後述するように特図の始動入賞口として機能する入賞口である。
【００１６】
なおここで、遊技の概要を簡単に説明する。遊技領域に打込まれた遊技球が、始動入賞口に入賞すると（即ち、特図の始動入賞があると）、変動表示装置の表示画面において特図の変動表示が行われて、変動表示ゲームが行われる。
そして、この変動表示ゲームの停止表示態様（変動表示により導出された特図の組合せ）が特別表示態様（例えば、「３、３、３」などのゾロ目）であれば、大当りと呼ばれる特典が遊技者に付与される。
上記大当り状態になると、変動入賞装置の大入賞口が、規定時間（例えば、３０秒）を越えない範囲内において、例えば１０個入賞までの期間だけ一時的に開放される開放動作が行われる。そしてこの開放動作は、例えば、１５ラウンドまで行われる。また、この大当たり状態では、大当たり状態を演出したり大当たりラウンド数などを遊技者に報知するための大当たり画像の表示が、前記表示画面で実行される。
【００１７】
次に、遊技盤１の裏面側構成について、図１を参照して説明する。
遊技盤１の裏面側における上部には、ネジ等の止着部材によってパネルケース３０が取り付けられ、前述の変動表示装置は、このパネルケース３０の内側に配置されている。このパネルケース３０の裏側（変動表示装置の裏側）には、インバータ基板ユニット３０ａやサブ制御ユニット３１が脱着可能に設けられている。またパネルケース３０の下方には、球寄せ部材３２が取り付けられ、この球寄せ部材３２の裏側には、メイン制御ユニット３３が脱着可能に設けられている。
球寄せ部材３２は、遊技盤１の裏側下部に配置されて、各入賞口や入賞装置に入賞した遊技球（入賞球）を誘導してパチンコ機下方に回収するための部材である。
またメイン制御ユニット３３は、遊技進行のための制御や遊技機全体の統括的制御を行う遊技制御装置等を内蔵するユニットである。
【００１８】
なお図２（ｂ）に示すように、サブ制御ユニット３１は全体として矩形箱型のものであり、パネルケース３０の裏面には、このサブ制御ユニット３１が取り付けられる矩形状の取付凹部３０ｄが形成されている。そして、この取付凹部３０ｄの裏面から見て左上隅と左下隅に隣接する位置には、前後方向（遊技盤１の盤面に直交する方向）のネジ孔を中心に有する取付ボス３０ｂが形成されている。また、取付凹部３０ｄの裏面から見て右辺の上部と下部に隣接する位置には、左右方向（遊技盤１の盤面に平行な水平方向）に貫通する開口を内側に有する係合部３０ｃが形成されている。
【００１９】
Ｂ．サブ制御ユニットの構成
次に、サブ制御ユニット３１の構成について、図３〜図６により説明する。図３は、サブ制御ユニット３１を後述する第１ケース部材４１側と第２ケース部材４２側とに分解した状態を示す前面側斜視図である。図４は、サブ制御ユニット３１を後述する第１ケース部材４１側と第２ケース部材４２側とに分解した状態を示す裏面側斜視図である。図５（ａ）は、第１ケース部材４１への表示制御基板６１と表示制御用ＲＯＭ基板６２の取付構造を説明する分解斜視図である。図５（ｂ）は、表示制御基板６１への表示制御用ＲＯＭ基板６２の取付構造を説明する分解斜視図である。図６（ａ）は、サブ制御ユニット３１の裏面図である。図６（ｂ）は、図６（ａ）におけるＡ−Ａ断面図である。
なお、図５（ａ）においては表示制御用ＲＯＭ基板６２等の裏面（後面）が見えているが、図５（ｂ）は表示制御用ＲＯＭ基板６２のみ前面を見せた図となっている。
【００２０】
サブ制御ユニット３１は、図３，４に示すように、遊技制御装置から送信される制御情報に基づいて変動表示装置の制御を行う表示制御基板６１や、表示制御用のＲＯＭを搭載した表示制御用ＲＯＭ基板６２や、図示省略したランプ類の制御を行う装飾制御基板６３や、図示省略したスピーカの制御を行う音声制御基板６４や、音声制御用のＲＯＭを搭載した音声制御用ＲＯＭ基板６５を内蔵するユニットである。
なお、上記表示制御基板６１、表示制御用ＲＯＭ基板６２、装飾制御基板６３、音声制御基板６４、及び音声制御用ＲＯＭ基板６５は、本発明の回路基板に相当し、複数の電子部品が搭載されている。
また、表示制御基板、装飾制御基板、及び音声制御基板は、共通の演出制御基板として一括して設けられる場合もあるが、本例では、その機能毎に分割して別個に設けられている。
【００２１】
また、表示制御基板６１は本発明の第１基板に相当し、表示制御用ＲＯＭ基板６２は本発明の第２基板に相当する。表示制御用ＲＯＭ基板６２は、表示制御基板６１（第１基板）に重合するようにコネクタ接続され、表示制御基板６１と対向しない側の表面（以下、表示制御用ＲＯＭ基板６２の裏面という）に表示制御用のＲＯＭ６６（電子部品）が搭載されている（図４参照）。表示制御用のＲＯＭ６６は、変動表示装置に表示する画像のデータを記憶する読み出し専用メモリである。このＲＯＭ６６は、この場合矩形板状のパッケージにメモリとしての半導体回路が収められ、例えば、このパッケージから延びるリード（図示省略）が表示制御用ＲＯＭ基板６２の所定の回路導体のスルーホール（図示省略）に挿入されて半田付けされることによって、表示制御用ＲＯＭ基板６２の裏面側に実装されている。なお図４や図５（ａ）等では、表示制御用ＲＯＭ基板６２の裏面からその厚さ分だけ後方に突出するＲＯＭ６６のパッケージの部分を図示している。
【００２２】
そしてサブ制御ユニット３１は、その外枠を構成し上記各基板を収納する部材として、基板収納部材４０を備える。この基板収納部材４０は、図２（ｂ）や図３，４に示すように、パネルケース３０の裏面に固定される第１ケース部材４１と、この第１ケース部材４１の裏面開口を覆うように第１ケース部材４１に固定される第２ケース部材４２と、からなる。
【００２３】
第１ケース部材４１は、裏面が開口した箱形の部材であり、その内面に表示制御基板６１と表示制御用ＲＯＭ基板６２が取り付けられる。この第１ケース部材４１の外周における裏面から見て左辺側の上下両端位置には、基板収納部材取付部４１ａが形成されている。基板収納部材取付部４１ａは、ネジ挿通用の前後方向の貫通孔を有する片状の突起である。また、第１ケース部材４１の外周における裏面から見て左辺側の上下位置（基板収納部材取付部４１ａの近傍位置）には、止着部４１ｂが形成されている。この止着部４１ｂには、裏面側に向かって延びる円柱状突起４１ｃが形成されている。また、第１ケース部材４１の外周における裏面から見て右辺側の上下位置（前述の係合部３０ｃに対応する位置）には、係合開口４１ｄが形成されている。
【００２４】
また図５（ａ）に示すように、第１ケース部材４１の裏面から見て上下左右の４箇所には、表示制御基板６１を固定するための前後方向のネジ孔を中心に有する表示制御基板取付ボス４１ｅが形成されている。表示制御基板６１の四隅にはネジ挿通孔６１ａが形成されており、このネジ挿通孔６１ａに挿通したネジを表示制御基板取付ボス４１ｅのネジ孔にねじ込むことにより、表示制御基板６１が第１ケース部材４１に固定される。
また図５（ａ）に示すように、第１ケース部材４１の裏面から見て上辺部左側の２箇所には、表示制御用ＲＯＭ基板６２を位置決めするための前後方向の突起（位置決め突起４１ｆ）が形成されている。表示制御用ＲＯＭ基板６２の上部左右２箇所には、位置決め孔６２ａが形成されており、この位置決め孔６２ａに前記位置決め突起４１ｆを挿通することにより、表示制御用ＲＯＭ基板６２が第１ケース部材４１に対して面方向において位置決めされる。ここで、面方向とは、表示制御基板６１（第１基板）に平行な方向（この場合、遊技盤１の盤面に平行な方向）を意味する。
【００２５】
また図５（ｂ）に示すように、第１ケース部材４１の裏面周縁の適宜位置には、組立状態において第２ケース部材４２側の基板（装飾制御基板６３、音声制御基板６４、音声制御用ＲＯＭ基板６５）の前面に先端が当接する基板押さえ部材４１ｇ、４１ｈ、４１ｊが形成されている。ここで、基板押さえ部材４１ｇは音声制御基板６４に当接し、基板押さえ部材４１ｈは音声制御用ＲＯＭ基板６５に当接し、基板押さえ部材４１ｊは装飾制御基板６３に当接して、それぞれの基板をガタつかないように保持する。
【００２６】
なお図５（ｂ）に示すように、表示制御基板６１の裏面には表示制御用ＲＯＭ基板６２と接続するためのコネクタの一方６１ｂ、６１ｃ（雄側又は雌側）が設けられており、これに対応して表示制御用ＲＯＭ基板６２の前面（表示制御基板６１と対向する面）にはコネクタの他方６２ｂ、６２ｃ（雌側又は雄側）が設けられている。この場合、コネクタの一方６１ｂがコネクタの他方６２ｂと嵌合し、コネクタの一方６１ｃがコネクタの他方６２ｃと嵌合することによって、表示制御基板６１と表示制御用ＲＯＭ基板６２間の電気的接続と相互の取付けがなされている。なお、これらコネクタの嵌合には、若干の遊びがあり、前述した位置決め突起４１ｆによる位置決めを阻害しない構成となっている。
【００２７】
次に第２ケース部材４２は、図３に示すように、前面が開口した箱形の部材であり、その内面に装飾制御基板６３と音声制御基板６４と音声制御用ＲＯＭ基板６５がネジ止めによって取り付けられる。この第２ケース部材４２の外周における裏面から見て左辺側の上下位置（前述した止着部４１ｂに対応する位置）には、止着受部４２ｂが形成されている。この止着受部４２ｂには、前述の止着部４１ｂの円柱状突起４１ｃがはまり込む前後方向の貫通孔が形成されている。また、第２ケース部材４２の外周における裏面から見て右辺側の上下位置（前述した係合開口４１ｄに対応する位置）には、係合片４２ｄが横方向に延びるように突設されている。
【００２８】
また図４に示すように、第２ケース部材４２の裏面には、第１ケース部材４１に取り付けられた第２基板（表示制御用ＲＯＭ基板６２）に搭載された電子部品（ＲＯＭ６６）のパッケージに対応する位置に、凹部４２ａが形成されている。図６（ｂ）に示すように、組立状態において、この凹部４２ａの底壁４２ｃが表示制御用ＲＯＭ基板６２（第２基板）の前記ＲＯＭ６６のパッケージ表面に当接することで前記ＲＯＭ６６及び表示制御用ＲＯＭ基板６２の重合方向の移動規制を行う（参照）。なおここで、ＲＯＭ６６のパッケージ表面とは、表示制御用ＲＯＭ基板６２のＲＯＭ６６が実装された裏面を上にして表示制御用ＲＯＭ基板６２を仮に水平にしたとき、上面となる面のことである。また、凹部４２ａの底面が移動規制を行う重合方向とは、表示制御基板６１（第１基板）に垂直な方向（この場合、遊技盤１の盤面に垂直な前後方向）を意味する。
【００２９】
また図３に示すように、第２ケース部材４２の前面の適宜位置（表示制御用ＲＯＭ基板６２の上部と下部に対応する位置）には、組立状態において表示制御用ＲＯＭ基板６２の裏面に先端が当接する基板押さえ部材４２ｇが形成されている。ここで、基板押さえ部材４２ｇは、この例では表示制御用ＲＯＭ基板６２に当接して、表示制御用ＲＯＭ基板６２及び表示制御基板６１を固定する（即ち、ガタつかないように保持する）。なおこの場合、この基板押さえ部材４２ｇは、前述した凹部４２ａの上方と下方に形成されている。また、この基板押さえ部材４２ｇの代わりに、或いはこの基板押さえ部材４２ｇに加えて、表示制御基板６１に当接する基板押さえ部材を第２ケース部材４２に形成してもよい。
なお、第２ケース部材４２は、透明又は半透明の部材によりなり、内部が透視可能となっている。また、第２ケース部材４２における前記凹部４２ａの底壁４２ｃは、凸レンズを形成する構成でもよい。底壁４２ｃが凸レンズとなっていると、ＲＯＭ６６のパッケージ表面を裏側から拡大して見ることが可能となっている。
【００３０】
Ｃ．サブ制御ユニットの組立及び取付け
次に、サブ制御ユニット３１の組立及び取付けについて説明する。
サブ制御ユニット３１は、次のようにして組立てられる。即ち、第１ケース部材４１に既述したように表示制御基板６１をネジ止めした後、前記位置決め孔６２ａに位置決め突起４１ｆを挿入しつつ、コネクタの一方６１ｂ、６１ｃとコネクタの他方６２ｂ、６２ｃを嵌合させることにより、表示制御基板６１に対して表示制御用ＲＯＭ基板６２を重合させて取り付ける（図５参照）。一方、第２ケース部材４２には、装飾制御基板６３と音声制御基板６４と音声制御用ＲＯＭ基板６５をネジ止めしておく。そして、第１ケース部材４１の裏面を第２ケース部材４２で覆うように第２ケース部材４２を取り付ける。この際、まず前記係合片４２ｄを係合開口４１ｄに挿入した後、前記止着部４１ｂの円柱状突起４１ｃを止着受部４２ｂの貫通孔にはめ込む。止着受部４２ｂにはめ込んだ止着部４１ｂの円柱状突起４１ｃは、例えばかしめる（先端を潰す）ことによって、止着受部４２ｂから取外し不可能とし、これによって第１ケース部材４１と第２ケース部材４２よりなる基板収納部材４０を封止する（即ち、止着部４１ｂや止着受部４２ｂを破壊しない限り基板収納部材４０を開くことができないようにする）。なお、このような封止構造は、基板の不正改造を防止するため、遊技機を取り締まる法規によって義務付けられている。
【００３１】
ところで、上述したサブ制御ユニット３１の組立てにおいて、第１ケース部材４１と第２ケース部材４２とを重合させる際には、前記基板押さえ部材４２ｇにより第１ケース部材４１内の表示制御基板６１（第１基板）と表示制御用ＲＯＭ基板６２（第２基板）の固定が行われ、かつ、前記位置決め突起４１ｆにより表示制御用ＲＯＭ基板６２（第２基板）の面方向の移動規制が行われるとともに、前記凹部４２ａの底壁４２ｃが表示制御用ＲＯＭ基板６２上のＲＯＭ６６（電子部品）のパッケージ表面に当接することで前記ＲＯＭ６６及び表示制御用ＲＯＭ基板６２の重合方向の移動規制が行われる。
また上記組立状態において、前記係合片４２ｄの先端部は前記係合開口４１ｄから横方向に突出した状態となる（図６（ａ）参照）。
【００３２】
なお、上述したように組立てられたサブ制御ユニット３１は、次のようにしてパネルケース３０に取り付けられる。即ち、前述した係合片４２ｄの先端部をパネルケース３０の前記係合部３０ｃの開口にはめ込んで係合させつつ、第１ケース部材４１の前面側を前述したパネルケース３０の取付凹部３０ｄにはめ込む。その後、第１ケース部材４１の基板収納部材取付部４１ａの貫通孔から挿入したネジを、パネルケース３０の取付ボス３０ｂのネジ孔にねじ込む。これにより、サブ制御ユニット３１は、容易にパネルケース３０に取り付けて固定することができる。
【００３３】
以上説明した本例の遊技機によれば、第１ケース部材４１と第２ケース部材４２とを重合させると、前記基板押さえ部材４２ｇにより第１ケース部材４１内の表示制御基板６１及び表示制御用ＲＯＭ基板６２の固定が行われ、かつ、前記位置決め突起４１ｆにより表示制御用ＲＯＭ基板６２の面方向の移動規制を行うとともに、前記凹部４２ａの底壁４２ｃが表示制御用ＲＯＭ基板６２上のＲＯＭ６６のパッケージ表面に当接することでＲＯＭ６６及び表示制御用ＲＯＭ基板６２の重合方向の移動規制を行う。このため、表示制御基板６１にコネクタ接続される表示制御用ＲＯＭ基板６２（ＲＯＭ６６を搭載した回路基板）の脱落が、上記位置決め突起４１ｆや凹部４２ａの底壁４２ｃさらには基板押さえ部材４２ｇによって確実に阻止され、効果的に防止される。また、表示制御基板６１と表示制御用ＲＯＭ基板６２のコネクタ接続が半刺し状態（即ち差込不足で不完全な接続状態）であった場合には、第１ケース部材４１と第２ケース部材４２とを重合させる際に、前記凹部４２ａの底壁４２ｃが表示制御用ＲＯＭ基板６２上のＲＯＭ６６のパッケージ表面に当接することによって表示制御用ＲＯＭ基板６２全体を表示制御基板６１に押し付け、上記コネクタ接続を完全にする。このため、表示制御基板６１と表示制御用ＲＯＭ基板６２のコネクタ接続が確実に接続されていなかった場合にも基板収納部材４０に収納するだけで確実に接続の補助をすることができる。したがって、第１ケース部材４１と第２ケース部材４２とを重合させる前に前記コネクタ接続の状態を確認する作業が容易になる。また、前記位置決め突起４１ｆという簡単な構成で表示制御用ＲＯＭ基板６２の面方向の移動規制も行える効果もある。
【００３４】
また、前記凹部４２ａの底壁４２ｃが凸レンズであると、組立後もこの凹部４２ａからＲＯＭ６６のパッケージを拡大して透視することが可能となり、ＲＯＭ６６の確認作業が容易になる。ひいては、ＲＯＭ６６に対する不正行為を防止できる。
【００３５】
（第２形態例）
次に、第２形態例を説明する。なお、以下の形態例は、前記凹部４２ａの底壁４２ｃに特徴を有し、他の構成は第１形態例と同じでよい。
図７（ａ）は、この第２形態例における第２ケース部材４２を示す斜視図である。本例は、前記凹部４２ａの底壁４２ｃの外面であって、ＲＯＭ６６のパッケージ表面に対応する面に規制突起７１を突設したことを特徴とする。規制突起７１は、この場合、２個搭載されたＲＯＭ６６の間に臨むように突設されている。
そして規制突起７１は、前述した組立状態において、図８（ｂ）に示す如く２個のＲＯＭ６６の間に入り込み、ＲＯＭ６６の面方向の移動を規制する。ここで、面方向とは、表示制御用ＲＯＭ基板６２（第２基板）に平行な方向（この場合、遊技盤１の盤面に平行な方向）を意味する。
なお図８（ｂ）は、サブ制御ユニット３１の裏面図（図８（ａ））におけるＢ−Ｂ断面図である。
【００３６】
本第２形態例では、前記凹部４２ａの底壁４２ｃの外面であってＲＯＭ６６のパッケージ表面に対応する面に突設された規制突起７１が、ＲＯＭ６６の面方向の移動を規制する。このため、表示制御用ＲＯＭ基板６２の脱落がより信頼性高く防止されるとともに、ＲＯＭ６６自体の脱落（表示制御用ＲＯＭ基板６２からの脱落）も信頼性高く防止でき、故障や不正に対する信頼性をより向上できる。
なお本例の場合、表示制御用ＲＯＭ基板６２に搭載されるＲＯＭ６６の数は１個でもよい。例えば図９（ａ）に示すように規制突起７１の右側にのみＲＯＭ６６が搭載される態様でもよいし、図９（ｂ）に示すように規制突起７１の左側にのみＲＯＭ６６が搭載される態様でもよい。
【００３７】
（第３形態例）
次に、第３形態例を説明する。
図７（ｂ）は、この第３形態例における第２ケース部材４２を示す斜視図である。本例は、前記凹部４２ａの底壁４２ｃの外面であって、ＲＯＭ６６のパッケージ表面に対応する面に規制突起７２〜７４を突設したことを特徴とする。規制突起７２〜７４は、この場合、ＲＯＭ６６の周縁を囲むように突設されている。なお中央の規制突起７３は、この場合、２個搭載されたＲＯＭ６６の間に臨むように突設されているが、規制突起７２〜７４の全体としてはＲＯＭ６６の周囲を囲むように設けられている。
これら規制突起７２〜７４は、前述した組立状態において、図８（ｃ）に示す如く２個のＲＯＭ６６の周囲を囲むように入り込み、ＲＯＭ６６の面方向の移動を規制する。
なお図８（ｃ）は、サブ制御ユニット３１の裏面図（図８（ａ））におけるＢ−Ｂ断面図である。
【００３８】
本第３形態例では、前記凹部４２ａの底壁４２ｃの外面であってＲＯＭ６６のパッケージ表面に対応する面に突設された規制突起７２〜７４が、ＲＯＭ６６の面方向の移動を規制する。このため、表示制御用ＲＯＭ基板６２の脱落がより信頼性高く防止されるとともに、ＲＯＭ６６自体の脱落（表示制御用ＲＯＭ基板６２からの脱落）も信頼性高く防止でき、故障や不正に対する信頼性をより向上できる。
なお本例の場合、表示制御用ＲＯＭ基板６２に搭載されるＲＯＭ６６の数は１個でもよい。例えば図１０（ａ）に示すように規制突起７３の右側にのみＲＯＭ６６が搭載される態様でもよいし、図１０（ｂ）に示すように規制突起７３の左側にのみＲＯＭ６６が搭載される態様でもよい。
【００３９】
（第４形態例）
次に、第４形態例を説明する。
図１１は、この第４形態例における第２ケース部材４２を示す斜視図である。本例では、前記凹部４２ａが、第２ケース部材４２からＲＯＭ６６に向かって立設される起立部７５と、ＲＯＭ６６のパッケージ表面に当接して前記凹部４２ａの底壁４２ｃをなすレンズ部材７６（或いはレンズ部材７７又は７８）とから構成され、前記レンズ部材７６等が前記起立部７５に対して着脱可能に設けられている。
レンズ部材７６〜７８の両側には、後方に延びる係止片７９がそれぞれ形成されている。そして、起立部７５の両側面には前記係止片７９が係合する係合開口８０が設けられ、これら係止片７９と係合開口８０の係合によって、起立部７５にレンズ部材７６〜７８がそれぞれ脱着可能となっている。
【００４０】
ここで、レンズ部材７６は第２形態例と同様の規制突起７１が中央に形成されたもので、レンズ部材７７は第３形態例と同様の規制突起７２〜７４が中央と両端に形成されたもので、いずれも１〜２個のＲＯＭ６６に対応可能なものである。レンズ部材７８は、二つの規制突起８１，８２（規制突起７１と同様に隣り合うＲＯＭ６６の間にはまり込むもの）がＲＯＭ６６の幅に対応する間隔を置いて形成されたもので、１〜３個のＲＯＭ６６に対応可能なものである。なお、以上例示したレンズ部材７６〜７８に限られず、さらに多様なレンズ部材（例えば規制突起の数をさらに増やして４個以上のＲＯＭ６６に対応可能なもの）を用意してもよい。
いずれにしろ本例によれば、凹部４２ａの底壁４２ｃをなすレンズ部材が着脱可能であるため、ＲＯＭ６６（電子部品）の数や大きさに対応させて前記底壁４２ｃを容易に変更できる。なお、ＲＯＭ６６の数は、例えば全体の記憶容量に応じて変化する。例えば、全体の記憶容量が１ギガなら１個、２ギガなら２個といったように変化する。
【００４１】
なお、本発明は上述した形態例に限られず、各種の変形や応用があり得る。
例えば、本発明の電子部品は他の部品でもよく、例えばＲＡＭ（随時読み出し書き込み可能なメモリ）であってもよい。
【００４２】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００４３】
【図１】パチンコ機の遊技盤の裏面図である。
【図２】（ａ）はパネルケース及びサブ制御ユニット等を示す裏面図であり、（ｂ）はパネルケースからサブ制御ユニットを取り外した状態を示す裏面側斜視図である。
【図３】サブ制御ユニットを第１ケース部材側と第２ケース部材側とに分解した状態を示す前面側斜視図である。
【図４】サブ制御ユニットを第１ケース部材側と第２ケース部材側とに分解した状態を示す裏面側斜視図である。
【図５】（ａ）は第１ケース部材への表示制御基板と表示制御用ＲＯＭ基板の取付構造を説明する分解斜視図であり、（ｂ）は表示制御基板への表示制御用ＲＯＭ基板の取付構造を説明する分解斜視図である。
【図６】（ａ）はサブ制御ユニットの裏面図であり、（ｂ）は（ａ）におけるＡ−Ａ断面図である。
【図７】（ａ）は第２形態例における第２ケース部材を示す斜視図であり、（ｂ）は第３形態例における第２ケース部材を示す斜視図である。
【図８】（ａ）はサブ制御ユニットの裏面図であり、（ｂ）は（ａ）におけるＢ−Ｂ断面図（第２形態例）であり、（ｃ）は（ａ）におけるＢ−Ｂ断面図（第３形態例）である。
【図９】図８（ａ）におけるＢ−Ｂ断面図（第２形態例）であり、（ａ）は右側だけにＲＯＭがある場合、（ｂ）は左側だけにＲＯＭがある場合を示す。
【図１０】図８（ａ）におけるＢ−Ｂ断面図（第３形態例）であり、（ａ）は右側だけにＲＯＭがある場合、（ｂ）は左側だけにＲＯＭがある場合を示す。
【図１１】第４形態例における第２ケース部材を示す斜視図である。
【符号の説明】
【００４４】
１  遊技盤
３１  サブ制御ユニット
４０  基板収納部材
４１  第１ケース部材
４１ｆ  位置決め突起  
４２  第２ケース部材
４２ａ  凹部
４２ｇ  基板押さえ部材
４２ｃ  底壁
６１  表示制御基板（回路基板、第１基板）
６２  表示制御用ＲＯＭ基板（回路基板、第２基板）
６３  装飾制御基板（回路基板）
６４  音声制御基板（回路基板）
６５  音声制御用ＲＯＭ基板（回路基板）
６６  ＲＯＭ（電子部品）
７１  規制突起
７２〜７４  規制突起
７５  起立部
７６，７７，７８  レンズ部材
【図１】
0005082109.tif 000002
【図２】
0005082109.tif 000003
【図３】
0005082109.tif 000004
【図４】
0005082109.tif 000005
【図５】
0005082109.tif 000006
【図６】
0005082109.tif 000007
【図７】
0005082109.tif 000008
【図８】
0005082109.tif 000009
【図９】
0005082109.tif 000010
【図１０】
0005082109.tif 000011
【図１１】
0005082109.tif 000012